【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
創傷閉鎖デバイスであって、
患者の皮膚に接着するように構成される第１の接着性パッチと、
該患者の皮膚に接着するように構成される第２の接着性パッチと、
該第１の接着性パッチと該第２の接着性パッチとの間の開口部と、
該開口部に隣接して該第１の接着性パッチに取り付けられる第１のレールと、
該開口部に隣接して該第２の接着性パッチに取り付けられる第２のレールと、
細長いバインダであって、該第１のレールに選択的に係合するように構成される第１のチャネルと、該第２のレールに選択的に係合するように構成される第２のチャネルとを有し、それによって、該第１の接着性パッチを該第２の接着性パッチに結合させる細長いバインダと
を備える、デバイス。
【請求項２】
前記第１の接着性パッチは、該第１の接着性パッチと前記第２の接着性パッチとの間の前記開口部を越えて、末端部分において該第２の接着性パッチに接合される、請求項１に記載の創傷閉鎖デバイス。
【請求項３】
前記細長いバインダは、前記第１の接着性パッチと前記第２の接着性パッチとの間の前記開口部の長さと少なくとも同等の長さを有する、請求項１に記載の創傷閉鎖デバイス。
【請求項４】
前記細長いバインダは、長手方向に可撓性であり、横方向に補強される、請求項１に記載の創傷閉鎖デバイス。
【請求項５】
前記バインダに組み込まれるＣ字形の横方向補強部材を備える、請求項４に記載の創傷閉鎖デバイス。
【請求項６】
前記細長いバインダは、前記第１のチャネルが前記第１のレールに係合し、前記第２のチャネルが前記第２のレールに係合すると、圧縮力が、前記第１の接着性パッチと前記第２の接着性パッチとの間の前記開口部に沿って前記患者の皮膚の切開に印加されるように構成される、請求項１に記載の創傷閉鎖デバイス。
【請求項７】
前記第１の接着性パッチと前記第２の接着性パッチの間に張力を印加するように構成される少なくとも１つの引張部材をさらに備える、請求項１に記載の創傷閉鎖デバイス。
【請求項８】
前記第１の接着性パッチに取り付けられ、および前記第１のレールから離間した第３のレールと、
該第１の接着性パッチに取り付けられ、および前記第２のレールから離間した第４のレールと
をさらに備え、
前記細長いバインダは、該第３のレールに選択的に係合するように構成される第３のチャネルと、該第４のレールに選択的に係合するように構成される第４のチャネルとを有する、請求項１に記載の創傷閉鎖デバイス。
【請求項９】
前記第１のレール内で摺動可能な第１のワイヤと、前記第２のレール内で摺動可能な第２のワイヤとを有するワイヤ構成であって、該第１のワイヤが、該第２のレールから離間した位置に該第１のレールを保持するように該第２のワイヤから離間した開放部分と、該第１のワイヤが、該第２のレールに近接近した位置に該第１のレールを保持するように該第２のワイヤに近接近した閉鎖部分とを有するワイヤ構成をさらに備える、請求項１に記載の創傷閉鎖デバイス。
【請求項１０】
前記ワイヤ構成の前記開放部分は、ほぼ楕円形の形状を形成する前記第１のワイヤおよび前記第２のワイヤ構成によって構成される、請求項９に記載の創傷閉鎖デバイス。
【請求項１１】
前記第１のレールおよび前記第２のレールは、前記第１の接着性パッチと前記第２の接着性パッチとの間の前記開口部を越えて延在する、請求項１に記載の創傷閉鎖デバイス。
【請求項１２】
前記第１のレールおよび前記第２のレールは、前記第１の接着性パッチおよび前記第２の接着性パッチに除去可能に取り付けられるタブ上まで延在する、請求項１１に記載の創傷閉鎖デバイス。
【請求項１３】
前記第１の接着性パッチおよび前記第２の接着性パッチからの前記タブの分離を容易にするようにミシン目線をさらに備える、請求項１２に記載の創傷閉鎖デバイス。
【請求項１４】
前記患者の皮膚の切開から流体を排出するために、前記創傷閉鎖デバイス中に少なくとも１つの排出溝をさらに備える、請求項１に記載の創傷閉鎖デバイス。
【請求項１５】
前記細長いバインダは、前記開口部に隣接した前記第１の接着性パッチの縁部と、該開口部に隣接した前記第２の接着性パッチの縁部とを持ち上げるように構成される、請求項１に記載の創傷閉鎖デバイス。
【請求項１６】
創傷閉鎖デバイスは、
患者の皮膚に接着するように構成される第１の接着性パッチと、
該患者の皮膚に接着するように構成される第２の接着性パッチと、
該第１の接着性パッチと該第２の接着性パッチとの間の開口部と、
該第１の接着性パッチ内で摺動可能な第１のワイヤと、該第２の接着性パッチ内で摺動可能な第２のワイヤとを有するワイヤ構成であって、該第１のワイヤが、該第２の接着性パッチから離間した位置に該第１の接着性パッチを保持するように該第２のワイヤから離間した開放部分と、該第１のワイヤが該第２の接着性パッチに近接近した位置に該第１の接着性パッチを保持するように該第２のワイヤに近接近した閉鎖部分とを有する、ワイヤ構成と
を備える、デバイス。
【請求項１７】
前記ワイヤ構成の前記開放部分は、ほぼ楕円形の形状を形成する前記第１のワイヤおよび前記第２のワイヤによって構成される、請求項１６に記載の創傷閉鎖デバイス。
【請求項１８】
創傷閉鎖デバイスであって、
患者の皮膚に接着するように構成される第１の接着性パッチと、
該患者の皮膚に接着するように構成される第２の接着性パッチと、
該第１の接着性パッチと該第２の接着性パッチとの間の開口部と
を備え、
該創傷閉鎖デバイスは、開放位置および閉鎖位置を有し、該開放位置において、該第１の接着性パッチと該第２の接着性パッチとの間の該開口部が、ほぼ楕円形の形状を表し、該閉鎖位置において、該第１の接着性パッチと該第２の接着性パッチとの間の該開口部が、該第２の接着性パッチに近接近した該第１の接着性パッチによってほぼ直線の形状を表す、デバイス。
【請求項１９】
前記第１の接着性パッチは、該第１の接着性パッチと前記第２の接着性パッチとの間の前記開口部を越えて、末端部分において該第２の接着性パッチに接合される、請求項１８に記載の創傷閉鎖デバイス。
【請求項２０】
前記創傷閉鎖デバイスを前記閉鎖位置に保持するためのバインダをさらに備える、請求項１８に記載の創傷閉鎖デバイス。
【請求項２１】
前記創傷閉鎖デバイスを前記開放位置に保持するための開放バインダと、該創傷閉鎖デバイスを前記閉鎖位置に保持するための閉鎖バインダとをさらに備える、請求項２０に記載の創傷閉鎖デバイス。
【請求項２２】
前記開放バインダは、切開ガイドとして構成される内縁部を有する中央開口部を有する、請求項２１に記載の創傷閉鎖デバイス。
【請求項２３】
前記創傷閉鎖デバイスを前記開放位置に保持するために、前記第１の接着性パッチと前記第２の接着性パッチとの間の前記開口部内に挿入可能な成形挿入部をさらに備える、請求項１８に記載の創傷閉鎖デバイス。
【請求項２４】
前記成形挿入部と、前記第１の接着性パッチと前記第２の接着性パッチとの間の前記開口部との間に除去可能なスペーサをさらに備える、請求項２３に記載の創傷閉鎖デバイス。
【請求項２５】
前記成形挿入部は、前記患者の皮膚に接着するための接触接着剤を有する皮膚接触面と、該成形挿入部を操作するためのハンドルを有する上面とを有する、請求項２３に記載の創傷閉鎖デバイス。
【請求項２６】
前記成形挿入部は、前記患者の皮膚に取り付けるための手段を有する皮膚接触面と、該成形挿入部を操作するためのハンドルを有する上面とを有する、請求項２３に記載の創傷閉鎖デバイス。
【請求項２７】
前記成形挿入部は、前記患者の身体に対する該成形挿入部の配向を示すための印を含む、請求項２３に記載の創傷閉鎖デバイス。
【請求項２８】
患者の皮膚に接着するように構成される第１の接着性パッチと、
該患者の皮膚に接着するように構成される第２の接着性パッチと、
該第１の接着性パッチと該第２の接着性パッチとの間の開口部と、
該開口部に隣接して該第１の接着性パッチに取り付けられる第１のスリーブと、
該開口部に隣接して該第２の接着性パッチに取り付けられる第２のスリーブと、
第１のフォーク型バインダであって、該第１のスリーブ内に選択的に挿入されるように構成される第１の歯と、該第２のスリーブ内に選択的に挿入されるように構成される第２の歯とを有し、それによって、該第１の接着性パッチを該第２の接着性パッチに結合させる第１のフォーク型バインダと
を備える、デバイス。
【請求項２９】
前記第１のフォーク型バインダは、分離部分および閉鎖部分を有し、該分離部分において、前記第１の接着性パッチを前記第２の接着性パッチから離間した位置に保持するように、前記第１の歯が前記第２の歯から離間しており、該閉鎖部分において、前記第１の接着性パッチを該第２の接着性パッチに近接近した位置に保持するように、該第１の歯が該第２の歯に近接近している、請求項２８に記載の創傷閉鎖デバイス。
【請求項３０】
前記第１の接着性パッチと前記第２の接着性パッチとの間の前記開口部を密閉するための被覆シールをさらに備える、請求項２８に記載の創傷閉鎖デバイス。
【請求項３１】
前記被覆シールおよび前記第１のフォーク型バインダは、前記創傷閉鎖デバイスを閉鎖位置に係止するための連結特徴を含む、請求項３０に記載の創傷閉鎖デバイス。
【請求項３２】
前記第１の接着性パッチと前記第２の接着性パッチとの間の前記開口部を密閉するための粘着性被覆シールをさらに備える、請求項２８に記載の創傷閉鎖デバイス。
【請求項３３】
前記第１のフォーク型バインダの前記第１の歯は、前記第１のスリーブ内に挿入されると、前記開口部に隣接した前記第１の接着性パッチの縁部を持ち上げるような角度にされ、該第１のフォーク型バインダの前記第２の歯は、前記第２のスリーブ内に挿入されると、該開口部に隣接した前記第２の接着性パッチの縁部を持ち上げるような角度にされる、請求項２８に記載の創傷閉鎖デバイス。
【請求項３４】
前記第１のスリーブ内に選択的に挿入されるように構成される第３の歯と、前記第２のスリーブ内に選択的に挿入されるように構成される第４の歯とを有し、それによって、前記第１の接着性パッチを前記第２の接着性パッチに結合させる第２のフォーク型バインダをさらに備える、請求項２８に記載の創傷閉鎖デバイス。
【請求項３５】
前記第２のフォーク型バインダの前記第３の歯は、前記第１のフォーク型バインダの前記第１の歯の中に伸縮自在に受容され、前記第２のフォーク型バインダの前記第４の歯は、該第１のフォーク型バインダの前記第２の歯の中に伸縮自在に受容される、請求項３４に記載の創傷閉鎖デバイス。
【請求項３６】
前記第１のフォーク型バインダおよび前記第２のフォーク型バインダは、前記創傷閉鎖デバイスを閉鎖位置に係止するための連結特徴を含む、請求項３４に記載の創傷閉鎖デバイス。
【請求項３７】
患者の皮膚に接着するように構成される第１の接着性パッチと、
該患者の皮膚に接着するように構成される第２の接着性パッチと、
該第１の接着性パッチと該第２の接着性パッチとの間の開口部と、
該第１の接着性パッチを該第２の接着性パッチに結合させるためのバインダと、
薬物注入マニホールドと
を備える、創傷閉鎖デバイス。
【請求項３８】
前記薬物注入マニホールドは、複数の組織穿孔針と、複数の薬物注入カテーテルとを備え、前記薬物注入カテーテルのそれぞれは、前記組織穿孔針のうちの１つの上に摺動可能に配置される、請求項３７に記載の創傷閉鎖デバイス。
【請求項３９】
前記薬物注入マニホールドは、複数の薬物注入針に接続される主要管を備える、請求項３７に記載の創傷閉鎖デバイス。
【請求項４０】
前記薬物注入マニホールドは、前記第１の接着性パッチと前記第２の接着性パッチとの間の前記開口部を通って延在する複数の薬物注入針を備える、請求項３７に記載の創傷閉鎖デバイス。
【請求項４１】
前記薬物注入マニホールドは、前記第１の接着性パッチと前記第２の接着性パッチとの間の前記開口部から離間した位置に、該第１の接着性パッチを通って延在する第１の複数の薬物注入針を備える、請求項３７に記載の創傷閉鎖デバイス。
【請求項４２】
前記薬物注入マニホールドは、前記第１の接着性パッチと前記第２の接着性パッチとの間の前記開口部から離間した位置に、該第２の接着性パッチを通って延在する第２の複数の薬物注入針を備える、請求項４１に記載の創傷閉鎖デバイス。
【請求項４３】
前記薬物注入マニホールドは、第１の方向に湾曲した第１の複数の薬物注入針と、第２の反対方向に湾曲した第２の複数の薬物注入針とに接続される主要管を備える、請求項３７に記載の創傷閉鎖デバイス。
【請求項４４】
前記薬物注入針は、組織を穿孔するために鋭利にされる、請求項４３に記載の創傷閉鎖デバイス。
【請求項４５】
前記薬物注入マニホールドの前記主要管は、薬物の加圧供給源に接続するために適合される、請求項３９に記載の創傷閉鎖デバイス。
【請求項４６】
前記薬物注入マニホールドの前記主要管に接続される薬物の加圧供給源をさらに備える、請求項３９に記載の創傷閉鎖デバイス。
【請求項４７】
前記薬物注入マニホールドの前記主要管に接続される薬物ポンプをさらに備える、請求項３９に記載の創傷閉鎖デバイス。
【請求項４８】
患者の皮膚に接着するように構成される第１の接着性パッチと、
該患者の皮膚に接着するように構成される第２の接着性パッチと、
該第１の接着性パッチと該第２の接着性パッチとの間の開口部と、
該第１の接着性パッチを該第２の接着性パッチに結合させるためのバインダと、
該第１の接着性パッチおよび該第２の接着性パッチに隣接した該患者の皮膚に小さい切り込みのパターンを作成するための複数の刃を有する、皮膚網目デバイスと
を備える、創傷閉鎖デバイス。
【請求項４９】
患者の皮膚に接着するように構成される第１の接着性パッチと、
該患者の皮膚に接着するように構成される第２の接着性パッチと、
該第１の接着性パッチと該第２の接着性パッチとの間の開口部と、
該開口部に隣接した該第２の接着性パッチまでの該第１の接着性パッチ内の内部スロットと、
該内部スロット内で摺動可能である細長いバインダであって、該細長いバインダ、該第１の接着性パッチおよび該第２の接着性パッチは、閉鎖位置において該第１の接着性パッチを該第２の接着性パッチに結合させるための連結特徴を有する、細長いバインダと
を備える、創傷閉鎖デバイス。
【請求項５０】
前記細長いバインダは、前記第１の接着性パッチおよび前記第２の接着性パッチを離間した開放位置に保持するように、前記内部スロット内で摺動可能である分離部分を有し、該細長いバインダの該分離部分は、該開放位置にあるときに、該第１の接着性パッチと該第２の接着性パッチとの間に位置付けられるスロットを有する、請求項４９に記載の創傷閉鎖デバイス。
【請求項５１】
前記第１の接着性パッチ、前記第２の接着性パッチ、および前記バインダは各々、組織接着剤による接着に抵抗する表面を有する、請求項５０に記載の創傷閉鎖デバイス。
【請求項５２】
患者の皮膚に接着するように構成される第１の接着性パッチと、
該患者の皮膚に接着するように構成される第２の接着性パッチと、
該第１の接着性パッチと該第２の接着性パッチとの間の開口部と、
該開口部に隣接した該第１の接着性パッチに取り付けられる、Ｕ字形断面を有する第１のレールと、
該開口部に隣接した該第２の接着性パッチに取り付けられる、Ｕ字形断面を有する第２のレールと、
該第１のレールおよび該第２のレール上で摺動可能であるように構成されるＣ字形の断面を有し、それによって、該第１の接着性パッチを該第２の接着性パッチに結合させる細長いバインダと
を備える、創傷閉鎖デバイス。
【請求項５３】
前記細長いバインダは、長手方向に可撓性であり、横方向に補強される、請求項５２に記載の創傷閉鎖デバイス。
【請求項５４】
前記バインダに組み込まれる多数のＣ字形の横方向補強部材をさらに備える、請求項５３に記載の創傷閉鎖デバイス。
【請求項５５】
前記第１のレールは、長手方向の可撓性を増加させるように構成されるミシン目のパターンを有する、Ｕ字形断面を有する第１の金属部材から形成され、
前記第２のレールは、該長手方向に可撓性を増加させるように構成されるミシン目のパターンを有する、Ｕ字形断面を有する第２の金属部材から形成され、
前記細長いバインダは、該長手方向に可撓性を増加させるように構成されるミシン目のパターンを有する、Ｃ字形断面を有する金属部材で形成される、請求項５２に記載の創傷閉鎖デバイス。
【請求項５６】
患者の皮膚に接着するように構成される接着性パッチと、
前記第１の接着性パッチに取り付けられる第１のレールと、
前記第２の接着性パッチに取り付けられる第２のレールと、
該第１のレールに選択的に係合するように構成される第１のチャネルと、該第２のレールに選択的に係合するように構成される第２のチャネルとを有する細長いバインダと
を備える、創傷閉鎖デバイス。
【請求項５７】
前記第１のレールと前記第２のレールとの間の前記接着性パッチの上面に印される切開線をさらに備える、請求項５６に記載の創傷閉鎖デバイス。
【請求項５８】
前記第１のレールと前記第２のレールとの間の前記接着性パッチの上面に切開される切開線をさらに備える、請求項５６に記載の創傷閉鎖デバイス。
【請求項５９】
前記第１のレールと前記第２のレールとの間の前記接着性パッチ上にミシン目打ちされた切開線をさらに備える、請求項５６に記載の創傷閉鎖デバイス。
【請求項６０】
患者の皮膚に接着するように構成される第１の接着性パッチであって、第１の長さを有する第１の接着性パッチと、
該患者の皮膚に接着するように構成される第２の接着性パッチであって、最初に該患者の皮膚に接着されると、該第１の接着性パッチの該第１の長さよりも長い延長した長さと、該第１の接着性パッチの該第１の長さに実質的に等しい収縮した長さとを有する第２の接着性パッチと、
該第１の長さでの該第１の接着性パッチと、該収縮した長さでの該第２の接着性パッチとを用いて、該第１の接着性パッチを該第２の接着性パッチに取り付けるための手段と
を備える、創傷閉鎖デバイス。
【請求項６１】
患者の皮膚を拡張するための装置であって、
該患者の皮膚の表面に小さい切り込みのパターンを作製するように配設される多数の刃を有する皮膚網目デバイスを備え、該小さい切り込みのパターンは、該患者の皮膚が拡張して、より大きな領域を被覆することを可能にするように構成される、装置。
【請求項６２】
前記小さい切り込みのパターンを有する前記患者の皮膚を拡張するために、張力を該患者の皮膚に印加するための手段をさらに備える、請求項６１に記載の創傷閉鎖デバイス。
【請求項６３】
前記小さい切り込みのパターンを有する前記患者の皮膚を拡張するために、張力を該患者の皮膚に長期的に印加するための手段をさらに備える、請求項６１に記載の創傷閉鎖デバイス。